(57)【要約】【課題】  表示された画像データをユーザに視認させるとともに、特別の効果を得ることができる撮像装置及びそのプログラムを実現する。【解決手段】  サブリミナルモードに選択されると（Ｓ１１でＹ）、サブリミナル画像として登録された画像データのうちユーザによって指定された画像データを選択し（Ｓ１３）、ユーザによって指定された間隔を表示間隔として設定し（Ｓ１４）、スルー画像の表示時、静止画像の再生時、動画の再生時において、スルー画像、静止画像、動画像を表示させるとともに、該設定した表示間隔で該選択された画像データをサブリミナル画像として表示させる。【選択図】  図３
2007221570.tif 000002
【特許請求の範囲】
【請求項１】
被写体を撮像する撮像手段と、
前記撮像手段により撮像された画像データを表示手段に表示させる表示制御手段と、
前記表示制御手段による画像データの表示を行う場合に、該表示させる画像にサブリミナル画像を挿入させて表示させるサブリミナル画像表示制御手段と、
を備えたことを特徴とする撮像装置。
【請求項２】
前記撮像手段により撮像された画像データを記録する記録手段を備え、
前記表示制御手段は、
前記記録手段に記録されている画像データを表示させることを特徴とする請求項１記載の撮像装置。
【請求項３】
前記表示制御手段は、
前記撮像手段により撮像されたスルー画像データ又は動画像データ又は静止画像データを表示させることを特徴とする請求項１又は２記載の撮像装置。
【請求項４】
前記サブリミナル画像表示制御手段は、
サブリミナル画像を表示させる場合に、前記表示制御手段により表示される画像データに替えて、又は、前記表示制御手段により表示される画像データに割り込ませて、該サブリミナル画像を表示させることを特徴とする請求項１乃至３の何れかに記載の撮像装置。
【請求項５】
前記サブリミナル画像表示制御手段は、
サブリミナル画像を所定間隔で挿入させて表示させることを特徴とする請求項１乃至４の何れかに記載の撮像装置。
【請求項６】
ユーザが前記所定間隔を設定するための設定手段を備え、
前記サブリミナル画像表示制御手段は、
前記設定手段により設定された所定間隔でサブリミナル画像を挿入させて表示させることを特徴とする請求項５記載の撮像装置。
【請求項７】
前記サブリミナル画像表示制御手段は、
前記撮像手段により撮像された画像データをサブリミナル画像として表示させることを特徴とする請求項１乃至６の何れかに記載の撮像装置。
【請求項８】
前記撮像手段により撮像された複数の画像データのち任意の画像データをサブリミナル画像として登録する登録手段を備え、
前記サブリミナル画像表示制御手段は、
前記登録手段により登録された画像データをサブリミナル画像として表示させることを特徴とする請求項７記載の撮像装置。
【請求項９】
前記サブリミナル画像表示制御手段は、
サブリミナル画像撮影モードによって撮影された画像データをサブリミナル画像として表示させることを特徴とする請求項７又は８記載の撮像装置。
【請求項１０】
前記サブリミナル画像表示制御手段は、
既に記録されている複数の画像データの中から任意に選択された画像データをサブリミナル画像として表示させることを特徴とする請求項１乃至９の何れかに記載の撮像装置。
【請求項１１】
前記サブリミナル画像表示制御手段は、
予め記録されている複数のデータの中から任意に選択されたデータに基づいて画像データを生成し、該生成した画像データをサブリミナル画像として表示させることを特徴とする請求項１乃至６の何れかに記載の撮像装置。
【請求項１２】
前記サブリミナル画像表示制御手段は、
前記予め記録されている複数のデータに基づいて複数の画像データを生成し、該生成された複数の画像データをサブリミナル画像として順次表示させることを特徴とする請求項１１記載の撮像装置。
【請求項１３】
前記予め記録されている複数のデータは、
取り扱いを説明するデータ、又は、辞書データであることを特徴とする請求項１１又は１２の何れかに記載の撮像装置。
【請求項１４】
被写体を撮像する撮像処理、
前記撮像処理により撮像された画像データを表示手段に表示させる表示処理と、
前記表示処理により画像データを表示させる場合に、該表示させる画像にサブリミナル画像を挿入させて表示させるサブリミナル画像表示処理と、
を含み、上記各処理をコンピュータで実行させることを特徴とするプログラム。
【発明の詳細な説明】
【技術分野】
【０００１】
本発明は、撮像装置及びそのプログラムに係り、詳しくは、画像表示機能を搭載した撮像装置及びそのプログラムに関する。
【背景技術】
【０００２】
従来の撮像装置、例えば、デジタルカメラにおいては、スルー画像や動画像や静止画像を表示させる表示部が設けられている。
また、該表示部に音声をテキストに変換し、静止画像や動画像に重ねてテキストを表示させる技術も登場してきている（特許文献１）
【０００３】
【特許文献１】公開特許公報  特開２００４−３５７０９２号
【発明の開示】
【発明が解決しようとする課題】
【０００４】
しかしながら、従来の技術によれば、単に、動画や静止画、テキストなどを単に表示部に表示させるだけであり、表示された画像等をユーザは単に視認するに過ぎず、それ以上の効果が得られるというものではなかった。
【０００５】
そこで本発明は、かかる従来の問題点に鑑みてなされたものであり、表示された画像データをユーザに視認させるとともに、特別の効果を得ることができる撮像装置及びそのプログラムを提供することを目的とする。
【課題を解決するための手段】
【０００６】
上記目的達成のため、請求項１記載の発明による撮像装置は、被写体を撮像する撮像手段と、
前記撮像手段により撮像された画像データを表示手段に表示させる表示制御手段と、
前記表示制御手段による画像データの表示を行う場合に、該表示させる画像にサブリミナル画像を挿入させて表示させるサブリミナル画像表示制御手段と、
を備えたことを特徴とする。
【０００７】
また、例えば、請求項２に記載されているように、前記撮像手段により撮像された画像データを記録する記録手段を備え、
前記表示制御手段は、
前記記録手段に記録されている画像データを表示させるようにしてもよい。
【０００８】
また、例えば、請求項３に記載されているように、前記表示制御手段は、
前記撮像手段により撮像されたスルー画像データ又は動画像データ又は静止画像データを表示させるようにしてもよい。
【０００９】
また、例えば、請求項４に記載されているように、前記サブリミナル画像表示制御手段は、
サブリミナル画像を表示させる場合に、前記表示制御手段により表示される画像データに替えて、又は、前記表示制御手段により表示される画像データに割り込ませて、該サブリミナル画像を表示させるようにしてもよい。
【００１０】
また、例えば、請求項５に記載されているように、前記サブリミナル画像表示制御手段は、
サブリミナル画像を所定間隔で挿入させて表示させるようにしてもよい。
【００１１】
また、例えば、請求項６に記載されているように、ユーザが前記所定間隔を設定するための設定手段を備え、
前記サブリミナル画像表示制御手段は、
前記設定手段により設定された所定間隔でサブリミナル画像を挿入させて表示させるようにしてもよい。
【００１２】
また、例えば、請求項７に記載されているように、前記サブリミナル画像表示制御手段は、
前記撮像手段により撮像された画像データをサブリミナル画像として表示させるようにしてもよい。
【００１３】
また、例えば、請求項８に記載されているように、前記撮像手段により撮像された複数の画像データのち任意の画像データをサブリミナル画像として登録する登録手段を備え、
前記サブリミナル画像表示制御手段は、
前記登録手段により登録された画像データをサブリミナル画像として表示させるようにしてもよい。
【００１４】
また、例えば、請求項９に記載されているように、前記サブリミナル画像表示制御手段は、
サブリミナル画像撮影モードによって撮影された画像データをサブリミナル画像として表示させるようにしてもよい。
【００１５】
また、例えば、請求項１０に記載されているように、前記サブリミナル画像表示制御手段は、
既に記録されている複数の画像データの中から任意に選択された画像データをサブリミナル画像として表示させるようにしてもよい。
【００１６】
また、例えば、請求項１１に記載されているように、前記サブリミナル画像表示制御手段は、
予め記録されている複数のデータの中から任意に選択されたデータに基づいて画像データを生成し、該生成した画像データをサブリミナル画像として表示させるようにしてもよい。
【００１７】
また、例えば、請求項１２に記載されているように、前記サブリミナル画像表示制御手段は、
前記予め記録されている複数のデータに基づいて複数の画像データを生成し、該生成された複数の画像データをサブリミナル画像として順次表示させるようにしてもよい。
【００１８】
また、例えば、請求項１３に記載されているように、前記予め記録されている複数のデータは、
取り扱いを説明するデータ、又は、辞書データであるようにしてもよい。
【００１９】
上記目的達成のため、請求項１４記載の発明によるプログラムは、被写体を撮像する撮像処理、
前記撮像処理により撮像された画像データを表示手段に表示させる表示処理と、
前記表示処理により画像データを表示させる場合に、該表示させる画像にサブリミナル画像を挿入させて表示させるサブリミナル画像表示処理と、
を含み、上記各処理をコンピュータで実行させることを特徴とする。
【発明の効果】
【００２０】
請求項１記載の発明によれば、被写体を撮像する撮像手段と、前記撮像手段により撮像された画像データを表示手段に表示させる表示制御手段と、前記表示制御手段による画像データの表示を行う場合に、該表示させる画像にサブリミナル画像を挿入させて表示させるサブリミナル画像表示制御手段と、を備えるようにしたので、撮像された画像データをユーザに視認させるとともに、サブリミナル効果を与えることができる。
【００２１】
請求項２記載の発明によれば、前記撮像手段により撮像された画像データを記録する記録手段を備え、前記表示制御手段は、前記記録手段に記録されている画像データを表示させるようにしたので、記録されている画像データをユーザに視認させるとともに、サブリミナル効果を与えることができる。
【００２２】
請求項３記載の発明によれば、前記表示制御手段は、前記撮像手段により撮像されたスルー画像データ又は動画像データ又は静止画像データを表示させるようにしたので、スルー画像データ又は動画データ又は静止画像データをユーザに視認させるとともに、サブリミナル効果を与えることができる。
【００２３】
請求項４記載の発明によれば、前記サブリミナル画像表示制御手段は、サブリミナル画像を表示させる場合に、前記表示制御手段により表示される画像データに替えて、又は、前記表示制御手段により表示される画像データに割り込ませて、該サブリミナル画像を表示させるようにしたので、サブリミナル効果を得ることができる。
【００２４】
請求項５記載の発明によれば、前記サブリミナル画像表示制御手段は、サブリミナル画像を所定間隔で挿入させて表示させるようにしたので、サブリミナル画像を所定間隔で表示することができ、サブリミナル効果の影響を大きくすることができる。
【００２５】
請求項６記載の発明によれば、ユーザが前記所定間隔を設定するための設定手段を備え、前記サブリミナル画像表示制御手段は、前記設定手段により設定された所定間隔でサブリミナル画像を挿入させて表示させるようにしたので、ユーザがサブリミナル効果の影響の度合いを設定することができる。
【００２６】
請求項７記載の発明によれば、前記サブリミナル画像表示制御手段は、前記撮像手段により撮像された画像データをサブリミナル画像として表示させるようにしたので、ユーザが撮影した画像データをサブリミナル画像して表示させることができる。
【００２７】
請求項８記載の発明によれば、前記撮像手段により撮像された複数の画像データのうち任意の画像データをサブリミナル画像として登録する登録手段を備え、前記サブリミナル画像表示制御手段は、前記登録手段により登録された画像データをサブリミナル画像として表示させるようにしたので、サブリミナル画像として表示させたい画像データをユーザが選んで登録することができる。
【００２８】
請求項９記載の発明によれば、前記サブリミナル画像表示制御手段は、サブリミナル画像撮影モードによって撮影された画像データをサブリミナル画像として表示させるようにしたので、撮影する際にサブリミナル画像として表示させたい画像データとして撮影するか否かをユーザが選択することができる。
【００２９】
請求項１０記載の発明によれば、前記サブリミナル画像表示制御手段は、既に記録されている複数の画像データの中から任意に選択された画像データをサブリミナル画像として表示させるようにしたので、表示させるサブリミナル画像を選択することができる。
【００３０】
請求項１１記載の発明によれば、前記サブリミナル画像表示制御手段は、予め記録されている複数のデータの中から任意に選択されたデータに基づいて画像データを生成し、該生成した画像データをサブリミナル画像として表示させるようにしたので、画像データでないデータから生成された画像データをサブリミナル画像として表示することができる。
【００３１】
請求項１２記載の発明によれば、前記サブリミナル画像表示制御手段は、前記予め記録されている複数のデータに基づいて複数の画像データを生成し、該生成された複数の画像データをサブリミナル画像として順次表示させるようにしたので、表示させるサブリミナル画像を次から次へと替えて表示させることができる。
【００３２】
請求項１３記載の発明によれば、前記予め記録されている複数のデータは、取り扱いを説明するデータ、又は、辞書データであるようにしたので、知らないうちに取り扱い方法や、単語などを覚えることができる。
【００３３】
請求項１４記載の発明によれば、デジタルカメラ、パソコン等に読み込ませることにより、本発明の撮像装置を実現することができる。
【発明を実施するための最良の形態】
【００３４】
以下、本実施の形態について、本発明の撮像装置をデジタルカメラに適用した一例として図面を参照して詳細に説明する。
[第１の実施の形態]
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、ＣＣＤ４、ドライバ５、ＴＧ（timing
generator）６、ユニット回路７、画像生成部８、ＣＰＵ９、キー入力部１０、メモリ１１、ＤＲＡＭ１２、フラッシュメモリ１３、画像表示部１４、バス１５を備えている。
【００３５】
撮影レンズ２は、複数のレンズ群から構成されるフォーカスレンズ２ａ、ズームレンズ２ｂ等を含む。そして、撮影レンズ２にはレンズ駆動ブロック３が接続されている。レンズ駆動ブロック３は、フォーカスレンズ２ａ、ズームレンズ２ｂをそれぞれ光軸方向に駆動させるフォーカスモータ、ズームモータと、ＣＰＵ９から送られてくる制御信号にしたがって、フォーカスモータ、ズームモータを駆動させるフォーカスモータドライバ、ズームモータドライバから構成されている（図示略）。
【００３６】
ＣＣＤ４は、ドライバ５によって駆動され、一定周期毎に被写体像のＲＧＢ値の各色の光の強さを光電変換して撮像信号としてユニット回路７に出力する。この垂直ドライバ５、ユニット回路７の動作タイミングはＴＧ６を介してＣＰＵ９により制御される。
【００３７】
ユニット回路７には、ＴＧ６が接続されており、ＣＣＤ４から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ４から出力された撮像信号はユニット回路７を経てデジタル信号として画像生成部８及びに送られる。
【００３８】
画像生成部８は、ユニット回路７から送られてきた画像データに対してγ補正処理、ホワイトバランス処理などの処理を施すとともに、輝度色差信号（ＹＵＶデータ）を生成し、該生成された輝度色差信号の画像データはＣＰＵ９に送られる。つまり、画像生成部８は、ＣＣＤ４から出力された画像データに対して画像処理を施す。
【００３９】
ＣＰＵ９は、画像生成部９から送られてきた画像データの圧縮・伸張（例えば、ＪＰＥＧ形式、ＭＰＥＧ形式の圧縮・伸張）処理、ＡＦ処理、撮像処理を行う機能を有するとともに、デジタルカメラ１の各部を制御するワンチップマイコンである。
特に、ＣＰＵ９は、サブリミナルモードが設定されている場合は、スルー画像表示中や静止画再生中、動画再生中において、サブリミナル画像を所定間隔毎に表示させる機能を有する。
【００４０】
キー入力部１０は、シャッタボタン、電源オンオフキー、モード切替キー、サブリミナルモードキー、メニューキー、十字キー、ＳＥＴキー等の複数の操作キーを含み、ユーザのキー操作に応じた操作信号をＣＰＵ９に出力する。
メモリ１１には、ＣＰＵ９が各部を制御するのに必要な制御プログラム（サブリミナル画像の表示に必要な制御プログラム）、及び必要なデータが記録されており、ＣＰＵ９は、該プログラムに従い動作する。
【００４１】
ＤＲＡＭ１２は、ＣＣＤ４によって撮像された後、ＣＰＵ９に送られてきた画像データを一時記憶するバッファメモリとして使用されるとともに、ＣＰＵ９のワーキングメモリとして使用される。
フラッシュメモリ１３は、圧縮された画像データを保存する記録媒体である。すなわち、フラッシュメモリ１３は、静止画撮影モード時に撮影され圧縮された静止画像データや動画撮影モード時に撮影され圧縮された動画データを保存記録する。
【００４２】
画像表示部１４は、カラーＬＣＤとその駆動回路を含み、撮影待機状態にあるときには、ＣＣＤ４によって撮像された被写体をスルー画像として表示し、記録画像の再生時には、フラッシュメモリ１３から読み出され、伸張された記録画像を表示させる。
【００４３】
Ｂ．デジタルカメラ１の動作
実施の形態におけるデジタルカメラ１の動作をサブリミナル画像の登録と、サブリミナル画像の再生に分けて説明する。
【００４４】
Ｂ−１．サブリミナル画像の登録の動作を図２のフローチャートに従って説明する。
ユーザのキー入力部１０の電源オンオフキーの操作により電源がオンされ、モード切替キーの操作によりサブリミナル画像撮影モードに設定されると、ＣＰＵ９は、ＣＣＤ４による撮像を開始させ、画像生成部８によって生成された輝度色差信号の画像データをバッファメモリ（ＤＲＡＭ１２）に記憶させ、該記憶された画像データを画像表示部１４に表示させるという、いわゆるスルー画像表示を開始させる（ステップＳ１）。なお、本実施の形態においては、ＣＣＤ４は、秒間３０フレームの画像データを撮像するものとする。
【００４５】
次いで、ＣＰＵ９は、ユーザによってシャッタボタンが押下されたか否かを判断する（ステップＳ２）。
ステップＳ２で、シャッタボタンが押下されていないと判断すると押下されるまでステップＳ２に留まり、シャッタボタンが押下されたと判断するとステップＳ３に進む。
【００４６】
ステップＳ３に進むと、ＣＰＵ９は、スルー画像表示を終了し、静止画撮影処理を行う。つまり、ＣＣＤ４に比較的長い出力タイミングで１画面中の偶数ラインの画素信号と、奇数ラインの画素信号を順に出力させて、全画素分の画像データを読出し、画像生成部８によって生成された輝度色差信号の画像データ（静止画像データ）をバッファメモリ（ＤＲＡＭ１２）に取り込む。
【００４７】
次いで、ＣＰＵ９は、静止画撮影処理により得られたバッファメモリに記録されている静止画像データを圧縮して、フラッシュメモリ１３のサブリミナル画像記録領域に記録させる（ステップＳ４）。このサブリミナル画像記録領域には複数の画像データを記録することが可能である。
なお、サブリミナル画像記録領域にサブリミナル画像を記録するものに限定されず、通常の撮影モード（静止画撮影モード、動画撮影モード）により撮影された画像データとサブリミナル画像撮影モードにより撮影されたサブリミナル画像データとを混在してフラッシュメモリ１３に記録し、サブリミナル画像データにサブリミナル画像データであることを示す識別情報をその画像ファイルのヘッダ情報として記録することにより、通常の画像データとサブリミナル画像データとを識別できるようにしてもよい。
以上のように、サブリミナル画像撮影モードが選択された場合、撮影された画像はサブリミナル画像として記録（登録）されることとなる。
【００４８】
Ｂ−２．サブリミナル画像の再生の動作を図３のフローチャートに従って説明する。
ユーザのキー入力部１０の電源オンオフキーの操作により電源がオンされると、ＣＰＵ９は、ユーザによってサブリミナルモードが選択されたか否かを判断する（ステップＳ１）。この判断は、サブリミナルモードキーの操作に対応する操作信号がキー入力部１０から送られてきたか否かにより判断する。
【００４９】
ステップＳ１で、サブリミナルモードが選択されていないと判断するとＣＰＵ９は他の処理へと移行し、ステップＳ１で、サブリミナルモードが選択されたと判断すると、サブリミナルモード中であることを示すサブリミナルアイコンを画像表示部１４に表示させる（ステップＳ２）。
【００５０】
次いで、ＣＰＵ９は、フラッシュメモリ１３のサブリミナル画像記録領域に記録されている複数の画像データ（サブリミナル画像として登録された画像データ）の中からユーザによって指定（選択）された画像データを、表示させるサブリミナル画像として選択する（ステップＳ１３）。
このとき、ＣＰＵ９は、サブリミナル画像記録領域に記録されている複数の画像データ（画像のファイル名やサムネイル画像等であってもよい）を画像表示部１４に一覧表示（又は順次表示）させ、ユーザは十字キー、ＳＥＴキーを操作することによりサブリミナル画像として表示させたい画像データを指定することができる。
【００５１】
次いで、ＣＰＵ９は、ユーザによって指定された表示間隔をサブリミナル画像の表示間隔として設定する（ステップＳ１４）。このサブリミナル画像の表示間隔とは、どのくらいの周期でサブリミナル画像を表示させるかのことをいい、例えば、３０フレームに１回サブリミナル画像を表示させたり、１秒に１回サブリミナル画像を表示させることをいう。
このとき、ＣＰＵ９は、サブリミナル画像の表示間隔をユーザに指定させるための画面を画像表示部１４に表示させ、ユーザは十字キー、ＳＥＴキーの操作を行なうことにより表示間隔を指定することができる。
【００５２】
次いで、ＣＰＵ９は、スルー画像表示を開始させるか否かの判断を行う（ステップＳ１５）。この判断は、例えば、キー入力部１０のモード切替キー操作により静止画撮影モードや動画撮影モードなどに設定されると、スルー画像表示を開始すると判断する。
ステップＳ１５で、スルー画像表示を開始しないと判断するとステップＳ１８に進む。
【００５３】
一方、ステップＳ１５で、スルー画像表示を開始させると判断すると、ＣＣＤ４による撮像を開始させ、被写体のスルー画像を画像表示部１４に表示させるとともに、ステップＳ１３で選択したサブリミナル画像を、ステップＳ１４で設定した表示間隔で挿入して表示させる動作を行う（ステップＳ１６）。
具体的に説明すると、例えば、設定された表示間隔が３０フレームに１回表示（１秒に１回表示）の場合においては、ＣＣＤ４により撮像された画像データ（フレームデータ）を順次画像表示部１４に表示させるとともに、３０フレーム毎に（１秒毎に）撮像されたスルー画像データに替えて選択したサブリミナル画像を表示させるという動作を行うこととなる。
【００５４】
次いで、ＣＰＵ９は、スルー画像表示を終了するか否かの判断を行い（ステップＳ１７）、スルー画像表示を終了しないと判断すると終了すると判断するまで、スルー画像表示とともに、設定された表示間隔で選択したサブリミナル画像を表示させる動作を行う（ステップＳ１６、ステップＳ１７）。
一方、ステップＳ１７で、スルー画像表示を終了すると判断するとステップＳ１８に進む。このスルー画像表示を終了するか否かの判断は、例えば、キー入力部１０のモード切替キー操作により静止画撮影モードや動画撮影モードなどが解除されたり、シャッタボタン操作により静止画撮影が行なわれたり、モード切替キー操作により再生モードに設定された場合等は終了すると判断する。
【００５５】
ステップＳ１８に進むと、ＣＰＵ９は、静止画像データの再生表示を開始するか否かを判断する。この判断は、ユーザのモード切替キー操作によって静止画再生モードが設定されることによりフラッシュメモリ１３に記録されている複数の静止画像データの中から自動又は手動選択された静止画像データの再生指示が行われたか否かにより判断する。
ステップＳ１８で、静止画像データの再生表示を開始しないと判断するとステップＳ２１に進む。
【００５６】
一方、ステップＳ１８で、静止画像データの再生表示を開始すると判断すると、静止画像データの再生表示を行うとともに、ステップＳ１３で選択したサブリミナル画像を、ステップＳ１４で設定した表示間隔で挿入して表示させる動作を行う（ステップＳ１９）。
具体的に説明すると、例えば、設定された表示間隔が３０フレームに１回表示（１秒に１回表示）の場合においては、再生表示させる静止画像データを画像表示部１４に継続的に表示させるとともに、３０フレーム毎に（１秒毎に）静止画像データに替えて選択されたサブリミナル画像を表示させるという動作を行うこととなる。
ここでの３０フレーム毎に静止画像データに替えてサブリミナル画像を表示させるとは、静止画像データの表示周期のことをいい、静止画像データの表示を維持するためには、表示の書き込み動作を周期的（例えば、１秒間に３０回）に行わなければならない。そのため、画像表示部１４に対する静止画像データ表示の書き込み動作を周期的に行うとともに、該設定された表示間隔でサブリミナル画像を表示させるというものである。
【００５７】
次いで、ＣＰＵ９は、静止画再生表示を終了するか否かの判断を行い（ステップＳ２０）、静止画再生表示を終了しないと判断すると終了すると判断するまで、静止画像とともに、設定された表示間隔で選択したサブリミナル画像を表示させる動作を行う（ステップＳ１９、ステップＳ２０）。
一方、ステップＳ２０で、静止画再生表示を終了すると判断するとステップＳ２１に進む。なお、この静止画再生表示を終了するか否かの判断は、例えば、ユーザのモード切替キー操作によって静止画再生モードが解除されることにより再生終了の指示が行われたり、再生時間が決められている場合には該再生時間が経過した場合には終了すると判断する。
【００５８】
ステップＳ２１に進むと、ＣＰＵ９は、動画データの再生表示を開始するか否かを判断する。この判断は、ユーザのモード切替キー操作によって動画再生モードが設定されることによりフラッシュメモリ１３に記録されている複数の動画データの中から自動又は手動選択された動画データの再生指示が行われたか否かにより判断する。
ステップＳ２１で、動画データの再生表示を開始しないと判断するとステップＳ１５に戻る。
【００５９】
一方、ステップＳ２１で、動画データの再生表示を開始すると判断すると、動画データの再生表示を行うとともに、ステップＳ１３で選択したサブリミナル画像を、ステップＳ１４で設定した表示間隔で挿入して表示させる動作を行う（ステップＳ２２）。
具体的に説明すると、例えば、設定された表示間隔が３０フレームに１回表示（１秒に１回表示）の場合においては、再生表示させる動画データのフレームを画像表示部１４に順次再生表示させるとともに、３０フレーム毎に（１秒毎に）動画データのフレームに替えて選択されたサブリミナル画像を表示させるという動作を行うこととなる。
なお、３０フレーム毎に動画データのフレームに替えてサブリミナル画像を表示させるのではなく、３０フレーム毎にサブリミナル画像を割り込ませて表示させるようにしてもよい。
【００６０】
次いで、ＣＰＵ９は、動画再生表示を終了するか否かの判断を行い（ステップＳ２３）、動画再生表示を終了しないと判断すると終了すると判断するまで、動画とともに、設定された表示間隔で選択したサブリミナル画像を表示させる動作を行う（ステップＳ２２、ステップＳ２３）。
一方、ステップＳ２３で、動画再生表示を終了すると判断するとステップＳ１５に戻る。なお、この動画再生表示を終了するか否かの判断は、例えば、ユーザのモード切替キー操作によって動画再生モードが解除されることにより再生終了の指示が行われたり、動画データのフレームを最後まで再生表示させた場合は終了すると判断する。
【００６１】
Ｃ．以上のように、第１の実施の形態においては、サブリミナルモードに選択されると、スルー画像表示時や静止画再生時、動画再生時においては、画像データを再生表示させるとともに、サブリミナル画像を挿入して表示させるので、表示された画像をユーザに視認させるとともに、サブリミナル効果を与えることができる。
また、登録された複数の画像データのうちユーザによって選択された画像データをサブリミナル画像として表示させるので、ユーザによって選択された画像データに基づくサブリミナル効果を得ることができる。
また、ユーザがサブリミナル画像を表示させる表示間隔を設定することができるので、サブリミナル効果の影響の度合いをユーザが選択することができる。
また、サブリミナル画像撮影モードにおいて撮影された画像データをサブリミナル画像として登録するので、撮影時においてユーザがサブリミナル画像として登録するか否かを選択することができる。
【００６２】
なお、上記実施の形態においては、サブリミナル画像を複数登録することができるようにしたが、サブリミナル画像を１つしか登録することができないようにしてもよい。この場合は、サブリミナル画像を選択する必要がないので図３のステップＳ１３の動作は不要となり、登録されたサブリミナル画像が自動的に選択されることとなる。
【００６３】
［第２の実施の形態］
次に第２の実施の形態について説明する。
第１の実施の形態においては、サブリミナル画像撮影モードにおいて撮影されサブリミナル画像として登録された画像データをサブリミナル画像として表示させるようにしたが、第２の実施の形態においては、デジタルカメラ１の取り扱いを説明するデータや辞書データを内蔵させ、指定された部分の説明のデータ、指定された辞書のデータに基づく画像をサブリミナル画像として表示させるというものである。
【００６４】
Ｄ.デジタルカメラ１の動作
第２の実施の形態も、図１に示したものと同様の構成を有するデジタルカメラ１を用いることにより本発明の撮像装置を実現する。
以下、第２の実施の形態のデジタルカメラ１の動作を図４のフローチャートにしたがって説明する。
【００６５】
図３のステップＳ１２で、サブリミナルアイコンの表示を行うと、図４のステップＳ３１に進み、ＣＰＵ９は、サブリミナル画像として辞書を表示させるか否かの判断を行う。
このとき、ＣＰＵ９は、画像表示部１４にサブリミナル画像として「辞書」とデジタルカメラ１の「取り扱いの説明」のどちらを表示させるかをユーザに選択させるための選択画面を表示させ、ユーザは、十字キー、ＳＥＴキーを操作することにより一方を選択することができ、ＣＰＵ９は、ユーザの操作に基づいて辞書を表示させるか否かの判断を行う。
【００６６】
ステップＳ３１で、辞書を表示させると判断すると、ＣＰＵ９は、画像表示部１４に辞書の検索画面を表示させる（ステップＳ３２）。
次いで、ＣＰＵ９は、検索を実行させるか否かの判断を行う（ステップＳ３３）。
この判断は、検索実行の操作に対応する操作信号がキー入力部１０から送られてきたか否かにより判断する。
このとき、ユーザは、表示された検索画面において、キー入力部１０を操作することにより意味を知りたい単語など入力して検索を実行させることができる。
【００６７】
ステップＳ３３で、検索実行がされていないと判断すると検索が実行されるまでステップＳ３３に留まり、検索実行がされたと判断すると、予めメモリ１１に記録されている辞書データに基づいて画像データを生成することにより検索結果の画面を表示させる。
例えば、ユーザが検索画面において、「遡及」という単語を入力して検索を実行させると、「過去のある時点までさかのぼること。」等などの入力された単語の意味が表示される。また、「ａｂｕｎｄａｎｔ」という英単語を入力して検索を実行させると、「豊富な。  あり余るほどの」等の入力された単語の意味が表示される。
【００６８】
次いで、ＣＰＵ９は、検索結果を表示させると、ユーザによってセットキーの操作が行なわれたか否かを判断する（ステップＳ３５）。このとき、ユーザは、該表示された検索結果の画面をサブリミナル画像として表示させたいと判断した場合にＳＥＴキーの操作を行なう。
ステップＳ３５で、ＳＥＴキーの操作が行なわれていないと判断すると、ステップＳ３３に戻って新たにユーザによって入力された単語の検索等を行い、ステップＳ３５で、ＳＥＴキーの操作が行なわれたと判断すると該表示させている画面（検索結果の画面）をサブリミナル画像として選択して（ステップＳ３６）、図３のステップＳ１４に進む。
【００６９】
一方、ステップＳ３１で、辞書を表示させないと判断すると、ＣＰＵ９は、取り扱いの説明を表示させるか否かの判断を行う（ステップＳ３７）。
ステップＳ３７で、取り扱いの説明を表示させないと判断するとステップＳ３１に戻り、取り扱いの説明を表示させると判断すると、ＣＰＵ９は、取り扱いの説明のインデックス（例えば、種々の環境設定編、撮影基本編、撮影応用編、再生編など）を表示させる（ステップＳ３８）。
【００７０】
次いで、ＣＰＵ９は、表示されたインデックスの中から任意の項目がユーザに選択されたか否かを判断する（ステップＳ３９）。このとき、ユーザはキー入力部１０を操作することにより任意の項目を選択することができる。
ステップＳ３９で、項目が選択されていないと判断すると選択されるまでステップＳ３９に留まり、項目が選択されたと判断すると、予めメモリ１１に記録されている取り扱い説明データに基づいて画像データを生成することにより該選択された項目の説明を説明するための画面を表示させる（ステップＳ４０）。
例えば、ユーザによって種々の環境設定編の「日付の設定」という項目が選択された場合は、該選択された項目を説明するための画面を表示させる。
【００７１】
次いで、ＣＰＵ９は、ユーザによってセットキーの操作が行なわれたか否かを判断する（ステップＳ４１）。このとき、ユーザは、該表示された説明の画面をサブリミナル画像として表示させたいと判断した場合にＳＥＴキーの操作を行なう。
ステップＳ４１で、ＳＥＴキーの操作が行なわれていないと判断すると、ステップＳ３９に戻り、ユーザによって新たに選択された項目の説明を表示させ、ステップＳ３９でＳＥＴキーの操作が行なわれたと判断すると、該表示させている画面（説明の画面）をサブリミナル画像として選択して（ステップＳ３６）、図３のステップＳ１４に進む。
【００７２】
Ｆ．以上のように、第２の実施の形態においては、ユーザが辞書検索した検索結果の画面やユーザが選択した項目の取り扱いを説明する画面を表示させるサブリミナル画像として選択するので、知らないうちに取り扱い方法や、単語などを覚えることができる。
【００７３】
［変形例］
Ｄ．上記実施の形態は以下のような態様でもよい。
（１）第１の実施の形態においては、サブリミナル画像撮影モードにおいて撮影された画像データをサブリミナル画像として記録したが（サブリミナル画像記録領域に記録したが）、本変形例においては、通常の撮影モードによりフラッシュメモリ１３に記録された画像データ、及び、他のデジタルカメラやダウンロード等で得たフラッシュッメモリ１３に記録されている画像データを、サブリミナル画像として登録するというものである。これにより、通常の撮影モードにより撮影された画像データをサブリミナル画像として表示させることができる。
【００７４】
以下、本変形例における動作を図５のフローチャートにしたがって説明する。
ユーザのキー入力部１０のモード切替キーの操作によりサブリミナル画像登録(選択)モードに設定されると、ＣＰＵ９は、フラッシュメモリ１３のサブリミナル画像記録領域以外に記録されている画像データ（サブリミナル画像として登録されている画像データ以外の画像データ）を一覧表示（順次表示）させる（ステップＳ５１）。この一覧表示の方法としては、画像データのファイル名やサムネイル画像等を表示させることにより行われる。
【００７５】
次いで、ＣＰＵ９は、ユーザによって画像データの選択の指示が行われたか否かを判断する（ステップＳ５２）。このとき、ユーザは一覧表示されている画像データを見ながら、十字キー、ＳＥＴキーの操作を行なうことにより画像データの選択指示を行うことができ、ＣＰＵ９は、このユーザの操作に基づいて画像データの選択の指示が行われたか否かを判断する。
【００７６】
ステップＳ５２で、画像データの選択指示が行なわれたと判断すると、ＣＰＵ９は、該指示された画像データを選択して（ステップＳ５３）、ステップＳ５４に進む。このとき、ＣＰＵ９は、該指示された画像データを選択したことをユーザに知らせるため、選択された画像データを識別表示させる。この識別表示の方法としては、選択した画像データを太枠で囲ったり、色を付すこと等の方法がある。また、画像データの選択は複数行なうことができる。
一方、ステップＳ５２で、画像データの選択指示が行なわれていないと判断するとそのままステップＳ５４に進む。
【００７７】
ステップＳ５４に進むと、ＣＰＵ９は、ユーザによってＳＥＴキーの操作が行なわれたか否かを判断する。
ステップＳ５４で、ＳＥＴキーの操作が行なわれていないと判断するとステップＳ５２に戻り、ＳＥＴキーの操作が行なわれたと判断すると、該選択した画像データをサブリミナル画像記録領域にコピーして記録させる（ステップＳ５５）、つまり、選択された画像データをサブリミナル画像として登録する。なお、コピーを行なわずに、該選択された画像データにサブリミナル画像として登録された旨を示す識別フラグを付するようにしてもよい。
【００７８】
（２）また、第１の実施の形態において、サブリミナル画像撮影モードで撮影される画像データは静止画像データとしたが動画データを撮影し、該撮影した動画データをサブリミナル画像として記録（登録）するようにしてもよい。また、上記変形例（１）においても、動画データをサブリミナル画像として登録することができるようにしてもよい。
この場合は、図３のステップＳ１６、ステップＳ１９、ステップＳ２２において、設定された表示間隔でサブリミナル画像として登録された動画データを表示させるようにしてもよい。
また、設定された表示間隔でサブリミナル画像として登録された動画データのフレームを順次表示させるようにしてもよい。つまり、表示間隔が１秒に１回表示の場合には、１秒ごとにサブリミナル画像として登録された動画データのフレームを１枚目から順次表示させるようにする。
【００７９】
（３）また、第１の実施の形態及び変形例（１）又は（２）においては、表示させるサブリミナル画像をユーザが選択するようにしたが（図３のステップＳ１３）、ユーザが選択することなく、サブリミナル画像記録領域に記録されている画像データを任意にサブリミナル画像として順次表示させるようにしてもよい。つまり、表示されるサブリミナル画像が同じではなく、表示間隔毎に違ったサブリミナル画像が表示されることとなる。
【００８０】
（４）第２の実施の形態においては、ユーザが辞書検索した検索結果の画面やユーザが選択した項目の説明の画面をサブリミナル画像として表示させるようにした、表示間隔で辞書の内容や、取り扱い説明の内容を順次サブリミナル画像として表示させるようにしてもよい。つまり、辞書データや取り扱い説明データに基づいて複数の画像データを生成し、該生成した画像データを順次サブリミナル画像として表示させる。
例えば、英和辞書を表示させる場合には、設定された表示間隔で「ａ」から始まる単語の画面を順次表示させたり（アルファベット順に単語の画面を表示させたり）、取り扱い説明を最初の画面から順次表示させるようにしてもよい。
【００８１】
また、辞書モード（辞書を検索するモード）で最後に検索された検索結果や、取り扱い説明モード（取り扱いを説明するモード）において最後に表示させた項目を、サブリミナル画像として表示させるようにしてもよい。
これらの場合には、図４の動作は必要なく、図３のフローチャートでステップＳ１２の動作を行うと、そのままステップＳ１４に進むようにする。
【００８２】
（５）また、上記各実施の形態及び変形例（１）乃至（４）においては、デジタルカメラ１のＣＣＤ４によって撮像された画像データ（スルー画像データ、静止画像データ、動画データ）を表示させる場合において説明したが、他の撮像装置で記録された画像データやインターネットにおいてダウンロードした画像データをフラッシュメモリ１３に記録させ、該記録した画像データを再生表示するときにもサブリミナル画像を挿入して表示させるようにしてもよい。
【００８３】
（６）また、上記各実施の形態及び変形例（１）乃至（５）においては、画像データを再生表示する際に、サブリミナル画像を挿入して表示させるようにしたが、表示させることなく単にサブリミナル画像を挿入し、該挿入された画像データを記録するようにしてもよい。例えば、ユーザが記録されている動画データを選択した場合には、該選択した動画データを再生表示させることなく、サブリミナル画像を表示周期にしたがって挿入し、該挿入された動画データをそのまま記録するようにする。
【００８４】
（７）また、上記実施の形態におけるデジタルカメラ１は、上記の実施の形態に限定されるものではなく、カメラ付き携帯電話、カメラ付きＰＤＡ、カメラ付きパソコン、カメラ付きＩＣレコーダ、又はデジタルビデオカメラ等でもよく、被写体を撮像する機能を備えた機器であれば何でもよい。
【図面の簡単な説明】
【００８５】
【図１】本発明の実施の形態のデジタルカメラのブロック図である。
【図２】第１の実施の形態のデジタルカメラ１の動作を示すフローチャートである。
【図３】第１の実施の形態のデジタルカメラ１の動作を示すフローチャートである。
【図４】第２の実施の形態のデジタルカメラ１の動作を示すフローチャートである。
【図５】変形例におけるデジタルカメラ１の動作を示すフローチャートである。
【符号の説明】
【００８６】
１      デジタルカメラ
２      撮影レンズ
３      レンズ駆動ブロック
４      ＣＣＤ
５      垂直ドライバ
６      ＴＧ
７      ユニット回路
８      画像生成部
９      ＣＰＵ
１０    キー入力部
１１    メモリ
１２    ＤＲＡＭ
１３    フラッシュメモリ
１４    画像表示部
１５    バス
【図１】
2007221570.tif 000003
【図２】
2007221570.tif 000004
【図３】
2007221570.tif 000005
【図４】
2007221570.tif 000006
【図５】
2007221570.tif 000007